(57)【要約】【課題】  運搬や設置が容易に行え、計測器および計測値の表示部への電源供給が簡単かつ簡潔に行え、計測値が見やすい洗面化粧台を提供する。【解決手段】  フロアーキャビネット１とミラーキャビネット２とが分離独立した洗面化粧台において、フロアーキャビネット１に計測器１１を納設し、ミラーキャビネット２にはミラー２１、照明器具２２、および上記計測器１１の計測値を表示する表示部２３を設け、該ミラーキャビネット２に配設された照明器具２２用の電源線２４を分岐して該表示部２３に電源供給すると共に、該表示部２３と上記計測器１１とのそれぞれから導出された導線２３１、１１１を接続部３を介して接離自在に電気的接合した。【選択図】図３
2007075169.tif 000002
【特許請求の範囲】
【請求項１】
フロアーキャビネットとミラーキャビネットとが分離独立して構成された洗面化粧台において、フロアーキャビネットに体重や体脂肪等を計測する計測器を納設し、ミラーキャビネットにはミラー、照明器具、および上記計測器の計測値を表示する表示部を設け、該ミラーキャビネットに配設された照明器具用の電源線を分岐して該表示部に電源供給すると共に、該表示部と上記計測器とのそれぞれから導出された導線を接続部を介して接離自在に電気的接合したことを特徴とする洗面化粧台。
【請求項２】
上記電源線から整流器を介して表示部に直流電源を供給する請求項１記載の洗面化粧台。
【請求項３】
上記導線の接続部をコンセントとプラグとで構成した請求項１記載の洗面化粧台。
【発明の詳細な説明】
【技術分野】
【０００１】
本発明は、洗面化粧台に係り、詳しくは使用者の体重等の計測器を備えた洗面化粧台であり、搬入や設置を簡単かつ容易に行えるものである。また計測器および計測値の表示部への電源供給が簡潔にできる洗面化粧台を提供する。
【背景技術】
【０００２】
洗面化粧台を用いて使用者の生体情報を採取し、また洗面化粧台による在宅での健康管理システムを行うことは行われている。しかしながらこれら洗面化粧台は多機能であるが故に装置が複雑である。さらに多機能化を図る結果、電気回路も複雑であり、一般家庭で簡単に設置できるものでない。
【特許文献１】特開平７−２０４１１４号公報（第３頁、図１）
【特許文献２】特開２００２−８３０５５号公報（第６頁、図１）
【発明の開示】
【発明が解決しようとする課題】
【０００３】
上記特許文献１に記載されている洗面台にはカウンター上面に発汗量計、血圧および心拍数測定器、呼気採取用マスク、皮膚水分計、およびコントロールボックスが設けられており、ミラーキャビネットにはカメラが設置されている。一方特許文献２には自動血圧計、体重計、顔表皮温度計、体脂肪計、体温計等の健康測定機器がビルトインあるいは取り外し可能に備えられている。
【０００４】
これら特許文献に記載の洗面化粧台に設置された機器はいずれもインターフェースを介して医療機関と結ばれており、機器のみでなく外部とのデータ通信を行うための回路が要求されるために回路が複雑である。またフロアーキャビネットとミラーキャビネットの各々に機器が装着され回線がつながっているために一体化されている必要がある。そのために運搬や設置を慎重に行う必要があり、カウンター上に各種の機器があるために洗面化粧台としての使い勝手が悪くなるものである。
【０００５】
本願発明は自己管理可能な計測器のみを備えたものであり、表示部をミラーキャビネットに配することでフロアーキャビネットのカウンター上には特別な機器がなく、洗面化粧台として使い勝手が良いものである。そしてフロアーキャビネットとミラーキャビネットが分離独立しているから互いに小型化され運搬や設置が容易にできるものである。
【課題を解決するための手段】
【０００６】
上記課題を解決するために、本発明に係る洗面化粧台の第一の特徴構成は、請求項１に記載した如く、フロアーキャビネットとミラーキャビネットとが分離独立して構成された洗面化粧台において、フロアーキャビネットに体重や体脂肪等を計測する計測器を納設し、ミラーキャビネットにはミラー、照明器具、および上記計測器の計測値を表示する表示部を設け、該ミラーキャビネットに配設された照明器具用の電源線を分岐して該表示部に電源供給すると共に、該表示部と上記計測器とのそれぞれから導出された導線を接続部を介して接離自在に電気的接合した点にある。
【０００７】
同第二の特徴構成は、請求項２に記載した如く、第一の特徴構成に加えて上記電源線から整流器を介して表示部に直流電源を供給する点にある。
【０００８】
同第三の特徴構成は、請求項３に記載した如く、第一の特徴構成に加えて上記導線の接続部をコンセントとプラグとで構成した点にある。
【発明の効果】
【０００９】
請求項１に記載の洗面化粧台は前記構成であり、計測器の計測値を表示する表示部がミラーキャビネットに設けられているから、ミラーを見ながら計測値を知ることができ表示部が見易いものである。さらに表示部への電源供給は照明器具用の電源から分岐して電源供給できるので、表示部への電気配線は簡単簡潔にできる。又、フロアーキャビネットとミラーキャビネットは互いに接続部を介して電気接続されているが、フロアーキャビネットとミラーキャビネットは各々分離独立して構成されているから、電気接続を切り離しておくことで洗面化粧台の運搬時、フロアーキャビネットとミラーキャビネットを分離でき、分離することで各々が小型化され運搬が簡単かつ安全に行える。
【００１０】
請求項２に記載の洗面化粧台は前記構成であり、ミラーキャビネットの表示部に直流電源を供給するものであるから、交流電源供給の場合と比較して該表示が容易となりかつ該表示部を安価に構成できる。
【００１１】
請求項３に記載の洗面化粧洗面台は前記構成であり、接続部をコンセントとプラグと接離自在となるように構成しているから該接続部の電気的接続および遮断を必要に応じて安全かつ確実に行える。
【発明を実施するための最良の形態】
【００１２】
以下、本発明の実施形態について図面を参照して、詳細に説明する。図１は本発明の実施例を示したものであり、フロアーキャビネット１とミラーキャビネット２とを分離した状態を示す斜視図である。フロアーキャビネット１は箱型の収納部１２と側板15と洗面ボウル１３とカウンター１４とからなっている。１６はフロアーキャビネット１の上部に載置されるミラーキャビネット２に対する取り付け部である。
【００１３】
収納部１２と側板１５の間に体重計や体脂肪計等の計測器１１の納設部１７が設けられている。カウンター１４には計測器１１への乗り降りを容易にするために正面から見て人体が入る大きさの切り欠き部１８が設けられている。ミラーキャビネット２にはミラー２１とその上面に配された照明器具２２およびミラー２１の側方に設けられた表示部２３が設けられており、ミラーキャビネット２の下面にはフロアーキャビネット１との取り付け部２５が形成されている。このフロアーキャビネット１の取り付け部１６とミラーキャビネットの取り付け部２５とを接合して、該両者を一体化することにより洗面化粧台が構成される。
【００１４】
図２はフロアーキャビネット１およびミラーキャビネット２の内部の電気配線を示した概要図である。一般家庭用の１００Ｖの電源線２４はミラーキャビネット２に取り付けられて照明器具２２に接続される。該電源線２４は分岐され整流器４を介して直流電源が表示部２３に接続される。この直流電源は表示部２３から導出された導線２３１を介して、コンセント２３２に接続されている。
【００１５】
フロアーキャビネット１にはミラーキャビネット２のコンセント２３２と接続されるプラグ１１２があり、プラグ１１２からの導線１１１は計測器１１に接続されている。このコンセント２３２とプラグ１１２とで洗面化粧台の電気的な接続部３が形成される。このように表示部２３および計測器１１は直流電源が供給されるために、交流電源の供給の場合と比較して計測および表示が容易にできる。測定値は直接表示部２３に入力され正確な測定値が表示される。
【００１６】
図３はフロアーキャビネット１とミラーキャビネット２とが一体になるように設置された状態およびそのときの配線状態を示す概要図である。図示されているようにコンセント２３２とプラグ１１２からなる接続部３は洗面化粧台の背面から突出しないように設計されているために、洗面化粧台の設置に際し接続部３が損傷を受けることがなくなる。
【００１７】
このように本願発明の化粧洗面台は各々独立したフロアーキャビネット１とミラーキャビネット２とを組み合わせることで洗面化粧台が構成されるために運搬が容易となり、損傷を受ける危険性が大幅に減少する。また計測器１１の計測値を表示する表示部２３がミラーキャビネット２のミラー２１の側方に設けられているから、ミラー２１を見ると同時に容易に計測値を知ることができる。
【図面の簡単な説明】
【００１８】
【図１】本発明に係る洗面化粧台のフロアーキャビネットとミラーキャビネットとを分離した状態を示す斜視図である。
【図２】フロアーキャビネットとミラーキャビネットとの内部の電気配線を示す概要図である。
【図３】フロアーキャビネットとミラーキャビネットとを設置した洗面化粧台の状態とそのときの電気配線を示す概要図である。
【符号の説明】
【００１９】
１      フロアーキャビネット
１１      計測器
１２      収納部
１３      洗面ボウル体重計や体脂肪計等の
１４      カウンター
１５      側板
１６      ミラーキャビネットとの取り付け部
１７      計測器の納設部
１８      計測用のカウンターの切り欠き部
１１１    フロアーキャビネット内の導線
１１２    フロアーキャビネットに設けられたプラグ
２        ミラーキャビネット
２１      ミラー
２２      照明器具
２３      計測値の表示部
２３１    ミラーキャビネット内の導線
２３２    コンセント
２４      電源線
２５      フロアーキャビネットとの取り付け部
３        接続部
４        整流器
【図１】
2007075169.tif 000003
【図２】
2007075169.tif 000004
【図３】
2007075169.tif 000005